(57)【要約】【課題】汚物の投入時や回収時に悪臭が拡散せず、衛生的に汚物の回収が可能なトイレ用ごみ処理装置を提供することを課題とする。【解決手段】上記課題を解決するため、本発明では、ごみを投入する投入口３が開口された装置本体２と、筒状の長尺樹脂シート７を下部に引き出せるように収容したカートリッジ５を有しており、前記装置本体２は、投入口３に対して樹脂シート７を開口させた状態で前記カートリッジ５を保持するカートリッジ保持手段１５と、ごみが投入された樹脂シート７の引き出し及び樹脂シート７の溶着をしてごみを密封包装する包装手段２２と、密封状態の樹脂シート７部分を分離する分離手段２３と、分離手段２３の下方にある収容部３１とを備えており、包装されたごみが分離落下して収容部３１に収容されることを特徴とした。【選択図】図１
2008030862.tif 000002
【特許請求の範囲】
【請求項１】
ごみを投入する投入口が開口された装置本体と、筒状の長尺樹脂シートを下部に引き出せるように収容したカートリッジを有しており、前記装置本体は、投入口に対して樹脂シートを開口させた状態で前記カートリッジを保持するカートリッジ保持手段と、ごみが投入された樹脂シートの引き出し及び樹脂シートの溶着をしてごみを密封包装する包装手段と、密封状態の樹脂シート部分を分離する分離手段と、分離手段の下方にある収容部とを備えており、包装されたごみが分離落下して収容部に収容されることを特徴とするトイレ用ごみ処理装置。
【請求項２】
前記トイレ用ごみ処理装置は、投入口、カートリッジ保持手段、包装手段及び分離手段を有する上部箱体と、樹脂シートで包装されたごみを収容する収容部を有する下部箱体とを備えており、上部箱体と下部箱体とが着脱可能であることを特徴とする請求項１に記載のトイレ用ごみ処理装置。
【請求項３】
前記下部箱体の側面の全部又は一部が透明であることを特徴とする請求項２に記載のトイレ用ごみ処理装置。
【発明の詳細な説明】
【技術分野】
【０００１】
本発明は、トイレで使用するトイレ用ごみ処理装置に関するものである。
【背景技術】
【０００２】
生理用品は水では分解しない物質でできているため、トイレに流すことができない。そのため、使用済みの生理用品（以下、汚物という）を捨てるためのゴミ箱がトイレ内に備え付けられている。従来からトイレ内に備え付けられているゴミ箱は、蓋付の容器であって手で蓋を開けて汚物を投入するものが一般的である。例えば、特許文献１では、不自然な姿勢に屈まなくても汚物を投入することができ、清掃のときに邪魔にならない汚物入れが開示されている。
【特許文献１】特開平０９−０２８６２６号公報
【発明の開示】
【発明が解決しようとする課題】
【０００３】
しかし、従来のゴミ箱は、容器内に汚物から発生した悪臭が充満しているため、汚物の投入時や回収時に容器から悪臭が拡散して不快感を生じせしめるものであり、特に、汚物の回収が数日間滞った場合や夏場等は、悪臭が発生しやすかった。また、汚物の回収時に、汚物に手が接触するおそれがあり不衛生であった。
【０００４】
そこで本発明は、上記問題点を鑑みて、汚物の投入時や回収時に悪臭が拡散せず、衛生的に汚物の回収が可能なトイレ用ごみ処理装置を提供することを課題とする。
【課題を解決するための手段】
【０００５】
上記課題を解決するため、請求項１の発明では、ごみを投入する投入口が開口された装置本体と、筒状の長尺樹脂シートを下部に引き出せるように収容したカートリッジを有しており、前記装置本体は、投入口に対して樹脂シートを開口させた状態で前記カートリッジを保持するカートリッジ保持手段と、ごみが投入された樹脂シートの引き出し及び樹脂シートの溶着をしてごみを密封包装する包装手段と、密封状態の樹脂シート部分を分離する分離手段と、分離手段の下方にある収容部とを備えており、包装されたごみが分離落下して収容部に収容されることを特徴とした。
【０００６】
これにより、ごみを樹脂シートで密封包装することができ、ごみから悪臭が拡散するのを防止することができる。また、ごみが樹脂シートによって包装されるため、ごみの回収時にごみに対して直接手が触れることもなく衛生的である。
【０００７】
請求項２の発明では、請求項１の発明において、前記トイレ用ごみ処理装置は、投入口、カートリッジ保持手段、包装手段及び分離手段を有する上部箱体と、樹脂シートで包装されたごみを収容する収容部を有する下部箱体とを備えており、上部箱体と下部箱体とが着脱可能であることを特徴とした。
【０００８】
一般にトイレの出入口は狭いため、長い物は搬入しにくい。しかし、請求項２に記載の発明に係るトイレ用ごみ処理装置では、上部箱体と下部箱体とが着脱可能であるため、上部箱体と下部箱体とを分離して、別々に搬入することができ設置が容易である。また、上部箱体と下部箱体とが分離できるため、トイレ用ごみ処理装置の内部の清掃にも便利である。
【０００９】
請求項３の発明では、請求項２の発明において、前記下部箱体の側面の全部又は一部が透明であることを特徴とした。
【００１０】
これにより、透明部分から下部箱体の中を見ることができるため、下部箱体に収容されたごみの量を確認することができ、適切なタイミングでごみの回収をすることができる。
【発明の効果】
【００１１】
本発明では、ごみを樹脂シートで密封包装することができ、ごみから悪臭が拡散するのを防止することができる。また、ごみが樹脂シートによって包装されるため、ごみの回収時にごみに対して直接手が触れることもなく衛生的である。
【発明を実施するための最良の形態】
【００１２】
図１は、本実施形態に係るトイレ用ごみ処理装置１の斜視図であり、図２は、本実施形態に係るトイレ用ごみ処理装置１の分解斜視図である。本実施形態に係るトイレ用ごみ処理装置１は、ごみを投入する投入口３が開口された装置本体２と、樹脂シート７のカートリッジ５とを有しており、装置本体２は、使用済みの生理用品等のごみを樹脂シート７で密封包装する上部箱体１０と、包装されたごみを収容する下部箱体１１とを備えている。
【００１３】
カートリッジ５は、内部に環状の空間を備えた環状の枠体６と、前記空間内に収容される筒状の長尺樹脂シート７からなる。前記枠体６の下方には、環状のスリットが設けられており、前記樹脂シート７を枠体６の内部から引き出すことができる構成となっている。
【００１４】
上部箱体１０は、筒状の箱体であり、上部箱体１０の上方には、カートリッジ５を所定の位置で保持するための内向きのフランジ１５（カートリッジ保持手段）が設けられている。また、前記上部箱体１０の上部には、着脱可能なカバー部材１２が設置されており、カバー部材１２の中央には、ごみを投入するための投入口３が開口されており、投入口３には、後述のヒータ２２により袋状にされた樹脂シート７にごみを導くための筒状の案内手段１３が接合されている。
【００１５】
上部箱体１０には、投入されたごみを樹脂シート７で密封包装するための内部機構１６が設けられている。内部機構１６は、樹脂シート７を挟み込んで溶着及び切断をする挟持部１７と、前記挟持部１７が移動するためのレール２５と、挟持部１７を操作するレバー２６（操作部）とを備えている。挟持部１７は、第一挟持体２０及び第二挟持体２１を有しており、第一挟持体２０及び第二挟持体２１は長尺状の板である。第一挟持体２０は、図３に示すように、樹脂シート７を溶着するヒータ２２（包装手段）と樹脂シート７を切断するカッター２３（分離手段）とを有しており、第一挟持体２０の長手方向に沿って設置された二本のヒータの間にカッター２３が設置されている。
【００１６】
本実施形態に係るトイレ用ごみ処理装置１においては、前記挟持部１７を移動させるためのレール２５が上部箱体１０の内側面に設置されている。図４に示すように、レール２５は、対向する二つの内側面に対称になるように設置される。一方の内側面に設置されるレール２５は、二本一組であり、「Ｙ」字状に構成されている。二本のレール２５は、それぞれ上下方向に沿って設置され、上方が傾斜部２７となり、下方が鉛直部２８となる。二本のレール２５は、上端部をそれぞれ離反させて設置される。傾斜部２７では、下方になるに従いそれぞれのレールが接近する。双方のレールが一定の距離にまで接近すると、二本のレールはそれぞれ鉛直方向に向きを変え鉛直部２８が形成される。
【００１７】
前記第一挟持体２０及び第二挟持体２１の両端部は、前記レール２５に対応した車輪（図示せず）になっており、それぞれ車輪が対応するレール２５に嵌め込まれる。挟持部１７は、ばね（図示せず）により上方に付勢されており、図４に示すように、第一挟持体と第二挟持体とが対向した状態でレールの上端部に横架された初期位置で停止している。このとき、第一挟持体２０のヒータ２２及びカッター２３は第二挟持体２１に向いた状態になっている。
【００１８】
上部箱体１０の側面には、図１に示すように、上下方向に所定の長さの案内孔３０が設けられており、案内孔３０からは連結部材（図示せず）を介して挟持部１７と連結されたレバー２６が突出している。本実施形態に係るトイレ用ごみ処理装置１では、レバー２６が連結部材を介して挟持部１７に連結されているため、レバー２６を移動させることにより、挟持部１７をレール２５に沿って移動させることができる。
【００１９】
図２に示すように、下部箱体１１は、上部が開放された箱体であり、引き出し形式の収容部３１を有する。収容部３１を下部箱体１１に対して出し入れするため、収容部３１の前面には把手３２が設けられている。また、把手３２の上方には、収容部３１の内部が見えるように窓３３が設けられている。本実施形態において、前記窓３３には透明のアクリル樹脂が使用されている。
【００２０】
次に、本実施形態に係るトイレ用ごみ処理装置１の操作方法について説明する。本実施形態に係るトイレ用ごみ処理装置１の使用に際し、前記カートリッジ５が上部箱体１０のフランジ１５上に配置され、カートリッジ５の引き出し口から内部の樹脂シート７が所定長さ分引き出される。このとき、樹脂シート７は、ヒータ２２によって下端部が幅方向に溶着されており袋状になっている。
【００２１】
図５（ａ）に示すように、トイレ用ごみ処理装置１の上部に設けられた投入口３からごみａが投入されると、ごみａは、投入口３に対して開口された袋状の樹脂シート７に収容される。
【００２２】
ごみａが袋状の樹脂シート７に収容された後、レバー２６を下方に押し下げると、レバー２６と連結部材（図示せず）を介して連結された挟持部１７は、レール２５の上端部の初期位置からレール２５に沿って下方に移動する。挟持部１７がレール２５の傾斜部２７を下方に移動すると、対向する第一挟持体２０と第二挟持体２１との距離が縮まり、図５（ｂ）に示すように、レール２５の傾斜部２７と鉛直部２８との境界付近で、第一挟持体２０及び第二挟持体２１は樹脂シート７を幅方向に挟み込む。このとき、収容されたごみａよりも上方で、樹脂シート７を挟み込むことができるように、レール２５の傾斜部２７の長さや角度、樹脂シート７の引き出し長さが設定されている。
【００２３】
第一挟持体２０及び第二挟持体２１によって樹脂シート７が挟み込まれると、第一挟持体２０のヒータ２２に通電が行われ、樹脂シート７は幅方向に上下二箇所溶着される。また、二つのヒータ２２の間にはカーター２３が設置されており、上下二箇所溶着された部分の間が切断される。これにより、ごみａの入った樹脂シート７部分は密封包装され、カートリッジ５から分離される。また、カートリッジ５から引き出された樹脂シート７部分は幅方向に溶着されており袋状になっている。
【００２４】
図５（ｃ）に示すように、挟持部１７は樹脂シート７を挟み込んで保持したまま、レール２５の鉛直部２８に沿って案内孔３０の突き当たりまで下降する。このとき、樹脂シート７は、挟持部１７によって所定の長さ分引き出される。
【００２５】
その後レバー２６を離すと、図５（ｄ）に示すように、レバー２６及び挟持部１７は、ばねの付勢により上方に移動して初期位置に戻される。挟持部１７が初期位置に戻る過程で、第一挟持体２０及び第二挟持体２１は離間し樹脂シート７の保持が解除されるため、樹脂シート７で包装されたごみａは、落下して下方の収容部３１に収容される。
【００２６】
このように、本実施形態に係るトイレ用ごみ処理装置１においては、ごみを樹脂シート７によって密封包装することができるため、ごみによる悪臭の拡散を防止することができる。また、ごみが樹脂シート７で包装されているため、ごみの回収時にごみに対して直接手が触れることもなく衛生的である。
【００２７】
本実施形態に係るトイレ用ごみ処理装置１の収容部３１には、透明の窓３３が設けられているため、窓３３から収容部３１の内部を見て収容部３１に収容されたごみの量を確認することができる。これにより、適切なタイミングでごみの回収を行うことができる。また、本実施形態においては、上部箱体１０と下部箱体１１とは、着脱可能な構成となっている。このため、本実施形態に係るトイレ用ごみ処理装置１は、トイレの出入口のように、狭くて長い物を搬入しにくい場所であっても、上部箱体１０と下部箱体１１とを分離して、別々に搬入することができるので容易に設置することができる。また、上部箱体１０と下部箱体１１との分離が可能であるため、トイレ用ごみ処理装置１の内部の清掃にも便利である。
【００２８】
上記実施形態において、樹脂シート７はカッター２３を用いて切断されたが、樹脂シート７を分離する手段はこれに限定されるものではない。例えば、樹脂シート７の溶着を行う二列のヒータ２２の間にもう一列ヒータを設置し、真ん中に設置されたヒータによって樹脂シート７を溶断してもよい。
【００２９】
上記実施形態では、包装手段（ヒータ２２）及び分離手段（カッター２３）が第一挟持体２０に設けられたが、本発明はこのような構成に限られるわけではなく、包装手段及び分離手段は、第一挟持体２０及び第二挟持体２１の少なくともいずれか一方にあればよい。
【００３０】
また、上記実施形態のように包装手段及び分離手段が同時に使用される構成にする必要はなく、包装手段と分離手段とをそれぞれ独立に操作する構成にしてもよい。例えば、図６（ａ）に示すような構成にすることができる。すなわち、上部箱体１０内に上下二本のヒータ２２を備えた包装用挟持部３５と、カッター２３を備えた分離用挟持部３６とを有しており、包装用挟持部３５及び分離用挟持部３６が水平に移動して樹脂シート７を挟み込むことができるようにレール３７が設置される。包装用挟持部３５は、上下二本のヒータ２２の間に所定幅の空間３８があり、分離用挟持部３６の上方に位置している。
【００３１】
この構成においては、袋状の樹脂シート７にごみａが収容されると、図６（ｂ）に示すように、包装用挟持部３５が水平に移動して樹脂シート７が挟み込まれる。このとき、ヒータに通電がされ、樹脂シートは幅方向に上下２箇所が溶着される。これにより、ごみａを樹脂シート７で密封包装することができる。
【００３２】
次に、図６（ｃ）に示すように、樹脂シート７は包装用挟持部３５によって保持されたままレール３７の下端まで移動して所定長さ分の樹脂シート７がカートリッジ５から引き出される。包装用挟持部３５がレールの下端まで移動すると、図６（ｄ）に示すように、分離用挟持部３６が、上下２本のヒータ２２の間の空間３８を水平に移動して樹脂シート７を挟み込み、樹脂シート７を切断する。これにより、樹脂シート７で包装されたごみａは、落下して収容部３１に収容される。
【００３３】
また、上記実施形態において、収容部３１に設けられた窓３３には、透明のアクリル樹脂が使用されたが、ガラスなどを使用してもよい。また、内部を覗くことが可能な大きさの孔を設けて窓３３としてもよい。本実施形態に係るトイレ用ごみ処理装置１においては、ごみが樹脂シート７で密封包装されているため、収容部３１に孔を設けても、そこから悪臭が拡散することはない。
【図面の簡単な説明】
【００３４】
【図１】本実施形態に係るトイレ用ごみ処理装置の斜視図である。
【図２】本実施形態に係るトイレ用ごみ処理装置の分解斜視図である。
【図３】本実施形態に係る第一挟持体の斜視図である。
【図４】本実施形態に係る挟持部の初期位置を示す斜視図である。
【図５】本実施形態に係るトイレ用ごみ処理装置の内部の状態を示す説明図であり、（ａ）は、袋状の樹脂シートにごみが投入された状態を示す説明図であり、（ｂ）は、樹脂シートが第一挟持体及び第二挟持体によって挟み込まれた状態を示す説明図であり、（ｃ）は、樹脂シートが第一挟持体及び第二挟持体によって引き出される状態を示す説明図であり、（ｄ）は、樹脂シートで密封包装されたごみが収容部に収容され、挟持部が初期位置に戻る状態を示す説明図である。
【図６】本発明の変形例に係るトイレ用ごみ処理装置の内部の状態を示す説明図であり、（ａ）は、袋状の樹脂シートにごみが投入された状態を示す説明図であり、（ｂ）は、樹脂シートが包装用挟持部によって挟み込まれた状態を示す説明図であり、（ｃ）は、樹脂シートが包装用挟持部によって引き出される状態を示す説明図であり、（ｄ）は、樹脂シートが分離用挟持部によって挟み込まれた状態を示す説明図である。
【符号の説明】
【００３５】
１    トイレ用ごみ処理装置
２    装置本体
３    投入口
５    カートリッジ
６    枠体
７    樹脂シート
１０  上部箱体
１１  下部箱体
１５  フランジ（カートリッジ保持手段）
２２  ヒータ（包装手段）
２３  カッター（分離手段）
３１  収容部（下部箱体）
３３  窓
【図１】
2008030862.tif 000003
【図２】
2008030862.tif 000004
【図３】
2008030862.tif 000005
【図４】
2008030862.tif 000006
【図５】
2008030862.tif 000007
【図６】
2008030862.tif 000008